(57)【要約】【課題】簡単な構成で、ポーションカップの開封面を十分に開封でき、ポーションカップから副剤を迅速に容器内へ落下混合でき、混合キャップを容器口部から取り外すことなく混合後の液体を注出可能な混合キャップを提供すること。【解決手段】混合キャップ１００であって、外蓋１１０と、内蓋１３０と、開封用カッター１４３を有する稼動部材１４０と、ポーションカップＰとを有し、外蓋１１０は、外蓋天面１１１と筒状壁１１５とを有し、外蓋天面１１１には、外蓋天面１１１を貫通した注出孔１２０と、注出孔１２０を開閉可能な密閉カバー１２１が設けられ、筒状壁１１５の内周側に、ポーションカップＰを収容可能な保持空間１１９が設けられ、内蓋１３０の頂板部１３１には、頂板部１３１の上下を貫通した貫通孔１３２が設けられ、開封用カッター１４３は、保持空間１１９に対向する位置に設けられていること。【選択図】図１
2019064721.tif 000002
【特許請求の範囲】
【請求項１】
主剤が充填された容器の口部に装着され、副剤を容器内へ混合可能な混合キャップであって、
該混合キャップは、外蓋と、内蓋と、開封用カッターを有する稼動部材と、充填された副剤を保持したまま密封可能な開封面を有するポーションカップを保持可能な保持空間とを有し、
前記外蓋は、前記内蓋と係合可能且つ相対的に回転可能に構成され、外蓋天面と、前記外蓋天面から下方に延びる筒状壁と、前記外蓋天面から下方に延びる、前記筒状壁より外方に形成された外蓋壁部とを有し、
前記外蓋天面には、前記外蓋天面を貫通した注出孔と、前記注出孔を開閉可能な密閉カバーが設けられ、
前記保持空間は、筒状壁の内周側に前記ポーションカップを収容可能に構成され、
前記内蓋は、前記容器口部と係合可能に構成され、頂板部と、前記頂板部から上方に延び前記外蓋壁部の内側に係合可能な筒状突起とを有し、
前記頂板部には、前記頂板部の上下を貫通し、前記容器口部と連通可能な貫通孔が設けられ、
前記稼動部材は、前記外蓋と前記内蓋との間に、前記外蓋とネジ係合可能且つ前記内蓋に対して相対的に上昇可能に構成され、
前記開封用カッターは、前記稼働部材の、前記ポーションカップの前記開封面と対向する位置に設けられていることを特徴とする混合キャップ。
【請求項２】
前記稼動部材は、底面と、前記底面の周縁から上方に延びる環状壁とから構成され、
前記底面には、上下方向に貫通する混合孔と、通過孔とが設けられ、
前記開封用カッターは、前記底面から上方に向かって形成されていることを特徴とする請求項１に記載の混合キャップ。
【請求項３】
前記通過孔の周方向の位置が、内容液を前記注出孔から取り出す際、少なくとも前記稼動部材の中心軸からみて前記注出孔側に位置するように構成されていることを特徴とする請求項２に記載の混合キャップ。
【請求項４】
前記筒状壁の外周面には、稼動部材係合ネジが設けられ、
前記環状壁の内周面には、外蓋係合ネジが設けられ、
前記稼働部材係合ネジと前記外蓋係合ネジとは、互いに係合可能に構成されていることを特徴とする請求項１乃至請求項３のいずれかに記載の混合キャップ。
【請求項５】
前記開封用カッターは、前記混合孔の外周縁に沿って弧状に延在し、
前記通過孔は、前記開封用カッターおよび前記混合孔が形成された領域よりも外方に設けられていることを特徴とする請求項２乃至請求項４のいずれかに記載の混合キャップ。
【請求項６】
前記環状壁には、下方に開放したスリットが形成され、前記筒状突起の内周面には、前記スリット内を摺動可能な方向規制部を有した方向規制リブが設けられていることを特徴とする請求項２乃至請求項５のいずれかに記載の混合キャップ。
【請求項７】
前記頂板部の上面には、上方にのびる支持リブが設けられ、
前記方向規制リブおよび支持リブは、上端に支持部を有し、
前記支持部と前記筒状壁下端とは、前記ポーションカップのフランジを挟持可能に構成されていることを特徴とする請求項６に記載の混合キャップ。
【請求項８】
前記外蓋壁部の内周面下端には、係合突起が設けられ、
前記内蓋は、前記頂板部の下面から垂下したスカート壁をさらに有し、前記スカート壁の外周面上端には、前記係合突起と係合可能なラチェットが設けられていることを特徴とする請求項１乃至請求項７のいずれかに記載の混合キャップ。
【発明の詳細な説明】
【技術分野】
【０００１】
本発明は、主剤が充填された容器の口部に装着され、副剤を容器内へ混合可能な混合キャップに関する。
【背景技術】
【０００２】
従来、主剤が充填された容器の口部に装着され、ポーションカップ内に充填された副剤を任意のタイミングで取り出し容器内の主剤と混合可能な混合キャップとして、容器の口部に装着可能な内蓋と、副剤を充填したポーションカップとで構成された混合キャップが特許文献１で公知である。
この特許文献１で公知の混合キャップは、円筒状に形成されたキャップ本体（第二の部材４）の半径方向中心から放射状に延びる開封用カッター（切断片４２）を有し、内蓋（第二の部材４）の上部には開封面（閉塞片８）を下に向けたポーションカップ（第一の部材２）が係合しており、ポーションカップ（第一の部材２）を押し込むことで、開封用カッター（切断片４２）によって開封面（閉塞片８）を切り裂き、ポーションカップ（第一の部材２）内に充填されている副剤を容器内へ落下させて主剤と混合するものである。
【先行技術文献】
【特許文献】
【０００３】
【特許文献１】特許第５８９３８５１号公報
【発明の概要】
【発明が解決しようとする課題】
【０００４】
ところが、上記特許文献で公知の混合キャップは、未だ改善の余地があった。
すなわち、ポーションカップ（第一の部材２）内の副剤を主剤と混合し終えた後、容器から液体を取り出すには、内蓋（第二の部材４）を容器口部から外す必要があり、例えば、シャンプーや調味料等の、片手で使用する頻度が高く、容器内に水や異物が入りやすい使用環境では、迅速な容器の開閉を行えない虞があった。
また、容器内の液体が高粘度原液の場合、内蓋（第二の部材４）を容器口部から外して液体を取り出す際、容器口部の外周面に液体が付着することで、内蓋（第二の部材４）を容器口部に装着しにくくなる虞があった。
【０００５】
また、ポーションカップ（第一の部材２）が十分に降下する前にポーションカップ（第一の部材２）の開封面（閉塞片８）が開封され始めるため、ポーションカップ（第一の部材２）と内蓋（第二の部材４）との隙間から、開封したポーションカップ（第一の部材２）内の副剤が容器外へ漏出するおそれがあった。
また、開封前のポーションカップ（第一の部材２）の降下を制限する制限片がポーションカップ（第一の部材２）に設けられているが、制限片は円筒状の内蓋（第二の部材４）よりも半径方向外方へ突出しているため、搬送時における混合キャップの周方向の向きに注意する必要があるとともに、突出した制限片に不意に触れてしまい、開封時以外で制限片を破断してしまうおそれがあった。
【０００６】
本発明は、これらの問題点を解決するものであり、簡単な構成で、ポーションカップの開封面を十分に開封できるとともに、混合キャップ及び混合キャップを装着した容器の外部との密閉性を保ち、開封されたポーションカップから取り出した副剤を迅速に容器内の主剤側へ落下し混合させることができ、混合キャップを容器の口部から取り外すことなく混合後の液体を注出可能な混合キャップを提供することを目的とするものである。
【課題を解決するための手段】
【０００７】
本発明の混合キャップは、主剤が充填された容器の口部に装着され、副剤を容器内へ混合可能な混合キャップであって、該混合キャップは、外蓋と、内蓋と、開封用カッターを有する稼動部材と、充填された副剤を保持したまま密封可能な開封面を有するポーションカップを保持可能な保持空間とを有し、前記外蓋は、前記内蓋と係合可能且つ相対的に回転可能に構成され、外蓋天面と、前記外蓋天面から下方に延びる筒状壁と、前記外蓋天面から下方に延びる、前記筒状壁より外方に形成された外蓋壁部とを有し、前記外蓋天面には、前記外蓋天面を貫通した注出孔と、前記注出孔を開閉可能な密閉カバーが設けられ、前記保持空間は、筒状壁の内周側に前記ポーションカップを収容可能に構成され、前記内蓋は、前記容器口部と係合可能に構成され、頂板部と、前記頂板部から上方に延び前記外蓋壁部の内側に係合可能な筒状突起とを有し、前記頂板部には、前記頂板部の上下を貫通し、前記容器口部と連通可能な貫通孔が設けられ、前記稼動部材は、前記外蓋と前記内蓋との間に、前記外蓋とネジ係合可能且つ前記内蓋に対して相対的に上昇可能に構成され、前記開封用カッターは、前記稼働部材の、前記ポーションカップの前記開封面と対向する位置に設けられていることにより、前記課題を解決するものである。
【発明の効果】
【０００８】
請求項１に係る発明の混合キャップによれば、該混合キャップの外蓋天面には、外蓋天面を貫通した注出孔と、注出孔を開閉可能な密閉カバーが設けられているため、混合キャップ内の副剤を主剤と混合させた後、密閉カバーを開けることで、混合キャップを容器口部から外すことなく、注出孔から容器内の液体を取り出すことができる。
また、保持空間は、筒状壁の内周側に前記ポーションカップを収容可能に構成されているため、複数の種類の副剤を使用して生産する場合でも、ポーションカップの形状が統一されていれば、生産ラインの型替えの必要なく混合キャップの生産が可能である。
さらに、既に副剤が充填されているポーションカップを保持空間内に配置するため、混合キャップの組立て作業時に副剤が他の部品に付着して汚染してしまうことを抑制できる。
また、副剤は、容器口部と連通可能な貫通孔を通るため、確実に容器内へ落下できる。
【０００９】
さらに、稼動部材は、開封用カッターを有し、外蓋と内蓋との間に、外蓋とネジ係合可能且つ内蓋に対して相対的に上昇可能に構成されており、開封用カッターは、ポーションカップの開封面と対向する位置に設けられているため、外蓋を回転させて稼動部材を外蓋側へ上昇させ、開封面を開封用カッターで開口することで、容器口部の開口空間を広げることができ、容器内の液体を取り出すための流路をより大きく確保できる。
また、稼動部材と筒状壁の外周面とがネジ係合可能に構成されているため、予め開封用カッターと開封面とが触れることがない距離に互いを配置することで、振動等で使用時以外に稼動部材に設けられた開封用カッターが開封面に触れて開封することを防止できる。
【００１０】
請求項２に記載の構成によれば、稼動部材は、底面と、底面の周縁から上方に延びる環状壁とから構成され、底面には、上下方向に貫通する混合孔と、通過孔とが設けられているため、開封用カッターによって開封されたポーションカップから流れ落ちてくる副剤を、混合孔を通すことによって迅速に容器内へ混合できるとともに、混合した内容液を取り出す際、通過孔を通して効率よく内容液を注出孔側へ通すことができる。
【００１１】
請求項３に記載の構成によれば、通過孔の周方向の位置が、内容液を注出孔から取り出す際、少なくとも稼動部材の中心軸からみて注出孔側に位置するように構成されているため、容器口部から注出孔へ向かう液体が流れやすく短い流路を形成でき、容器内の液体をより一層効率よく取り出すことができる。
【００１２】
請求項４に記載の構成によれば、筒状壁の外周面の稼動部材係合ネジと、環状壁の内周面の外蓋係合ネジとが互いに係合可能に構成されているため、稼動部材の環状壁の内周面を筒状壁の外周面側に密着させるように、稼動部材が外蓋に向かって上昇することで、ポーションカップに環状壁が干渉することなく、開封用カッターで開封面を確実に開口できる。
また、振動等で使用時以外に開封用カッターが開封面に触れて開封することを確実に防止できる。
【００１３】
請求項５に記載の構成によれば、開封用カッターは、混合孔の外周縁に沿って弧状に延在しているため、ポーションカップの開封面の縁に沿って大きく開口できるとともに、副剤を迅速に混合孔へ流入できる。
また、通過孔は、開封用カッターおよび混合孔が形成された領域よりも外方に設けられているため、ポーションカップの開封面と稼動部材の底面とが密着した状態であっても、通過孔はポーションカップに塞がれることなく、内容液を通過孔に通すことで、確実に注出孔側へ流入でき、内容液を容器外へ取り出すことができる。
【００１４】
請求項６に記載の構成によれば、環状壁には、下方に開放したスリットが形成され、筒状突起の内周面には、スリット内を摺動可能な方向規制部を有した方向規制リブが設けられているため、稼動部材は、筒状突起と周方向位置を変えることなく稼動部材を外蓋に向かって上昇でき、開封用カッターを回転させることなく開封面に確実に食い込ませて開口できるとともに、通過孔の筒状突起に対する周方向位置を、常に内容液の注出に適した位置に固定することができる。
請求項７に記載の構成によれば、頂板部の上面には、上方に延びる支持リブが設けられ、方向規制リブおよび支持リブは、上端に支持部を有し、支持部と筒状壁下端とは、ポーションカップのフランジを挟持可能に構成されているため、ポーションカップが方向規制リブおよび支持リブよりも下方に落下することを防ぐことで、振動等で使用時以外に開封用カッターが開封面に触れて開封することをより確実に防止できる。
【００１５】
請求項８に記載の構成によれば、外蓋壁部の内周面下端には、係合突起が設けられ、内蓋は、頂板部の下面から垂下したスカート壁をさらに有し、スカート壁の外周面上端には、係合突起と係合可能なラチェットが設けられているため、頂板部に設けられた貫通孔が、注出孔に対して周方向均一に設けられていない場合、注出孔と貫通孔との周方向の位置が合う箇所で係合突起とラチェットが係合するように配置することで、外蓋を回転させるだけで、容器内の内容液を効率よく取り出せる向きに微調整することなく揃えることができる。
【図面の簡単な説明】
【００１６】
【図１】本発明の一実施形態に係る混合キャップ１００の断面図。
【図２】本発明の一実施形態に係る外蓋１１０の断面図。
【図３】本発明の一実施形態に係る外蓋１１０の下面図。
【図４】本発明の一実施形態に係る内蓋１３０の断面図。
【図５】本発明の一実施形態に係る内蓋１３０の上面図および下面図。
【図６】本発明の一実施形態に係る稼動部材１４０の斜視図。
【図７】本発明の一実施形態に係る稼動部材１４０の断面図。
【図８】本発明の一実施形態に係る稼動部材１４０の上面図。
【図９】本発明の一実施形態に係るポーションカップＰの断面図および下面図。
【図１０】本発明の一実施形態に係る混合キャップ１００の、副剤Ｓの混合手順１を示す断面図。
【図１１】本発明の一実施形態に係る混合キャップ１００の、副剤Ｓの混合手順２を示す断面図。
【図１２】本発明の一実施形態に係る混合キャップ１００の、副剤Ｓの混合手順３を示す断面図。
【発明を実施するための形態】
【００１７】
以下に、本発明の一実施形態に係る混合キャップ１００について、図面に基づいて説明する。なお、混合キャップ１００に嵌合する容器は、容器口部Ｂのみを図示する。
混合キャップ１００は、主剤が充填された容器の口部Ｂに装着され、副剤Ｓを取り出し容器内へ混合可能なものであり、図１に示すように、外蓋１１０と、内蓋１３０と、稼動部材１４０と、ポーションカップＰとが設けられている。
【００１８】
外蓋１１０は内蓋１３０と係合可能且つ相対的に回転可能に構成され、図２および図３に示すように、外蓋天面１１１と、外蓋天面１１１から下方に延びる筒状壁１１５と、外蓋天面１１１から下方に延びる、筒状壁１１５より外方に形成された外蓋壁部１１２と、外蓋天面１１１から下方に延びる、筒状壁１１５と外蓋壁部１１２との間に形成された密着リング１１４とを有している。
外蓋天面１１１には、外蓋天面１１１を貫通した注出孔１２０と、注出孔１２０を開閉可能な密閉カバー１２１が設けられている。
【００１９】
外蓋壁部１１２の下部の内周面には、弧状に形成された係合突起１１３が２つ形成されており、２つの係合突起１１３の間には、２つの切欠き部１２２が設けられている。
筒状壁１１５の内周側には、副剤Ｓを充填したポーションカップＰを収容する保持空間１１９が設けられており、筒状壁１１５の内周面には、上下方向に延びるリブ１１８が形成されている。
筒状壁１１５の外周面には、稼動部材係合ネジ１１７が設けられており、筒状壁１１５の注出孔１２０形成側の下端には、下方に開放した補助スリット１１６が設けられている。
【００２０】
内蓋１３０は、容器口部Ｂに装着可能に構成され、図４および図５に示すように、頂板部１３１と、頂板部１３１から上方に延び外蓋壁部１１２の内側に係合可能な筒状突起１３９と、頂板部１３１から下方に延び容器口部Ｂの外側に係合可能なスカート壁１３３とを有している。
頂板部１３１には、頂板部１３１の上下を貫通し、容器口部Ｂと連通可能な貫通孔１３２と、頂板部１３１から上方に延びる支持リブ１３５とが設けられている。
筒状突起１３９の内周面には、方向規制部１３７を有した方向規制リブ１３６が設けられており、支持リブ１３５と方向規制部１３７の上端には、支持部１３８が形成されている。
スカート壁１３３の上部外周面には、外周面ラチェット１３４が２つ形成されている。
【００２１】
稼動部材１４０は、図６乃至図８に示すように、底面１４１と、底面１４１の周縁から上方に延びる環状壁１４５と、底面１４１を上下方向に貫通する混合孔１４４とが設けられている。
底面１４１には、底面１４１から上方に延びる、押上げリブ１４２と、押上げリブ１４２を囲むように円弧状に形成された開封用カッター１４３とがさらに設けられ、開封用カッター１４３の円弧の開口側には、通過孔１４８が形成されている。
環状壁１４５には、下方に開放したスリット１４６が設けられ、環状壁１４５の内周面には、筒状壁係合ネジ１４７が設けられている。
【００２２】
ポーションカップＰは、図９に示すように、下面に設けられた開封面Ｐｓが、フランジＰｆに接続され、ポーションカップＰ内を密閉している。
また、ポーションカップＰの下面の概形は、円弧の両端を直線で結んだＤ型の形状を有している。
【００２３】
次に、混合キャップ１００の組み立てについて、図２乃至図１０に基づいて説明する。
【００２４】
まず、内蓋１３０の筒状突起１３９の内周面に沿うように、稼動部材１４０を挿入する。
このとき、稼動部材１４０のスリット１４６に方向規制リブ１３６の方向規制部１３７を進入させ、且つ、通過孔１４８に内蓋１３０の支持リブ１３５を進入させるように、稼動部材１４０を挿入することで、稼動部材１４０の底面１４１が内蓋１３０の頂板部１３１に接触する位置まで移動できる。
【００２５】
次に、内蓋１３０の筒状突起１３９の内周面側に、ポーションカップＰを挿入する。
このとき、ポーションカップＰは、ポーションカップＰの下面の概形を象るように配置された支持リブ１３５および方向規制リブ１３７の支持部１３８上に、フランジＰｆを乗せた位置で安定するため、内蓋１３０に対するポーションカップＰの周方向の向きが固定される。
【００２６】
次に、内蓋１３０の筒状突起１３９の外周面側に、外蓋１１０の外蓋壁部１１２を被せる。
このとき、外蓋壁部１１２の下方に設けられた係合突起１１３が、筒状突起１３９の下方に位置することで、内蓋１３０は外蓋１１０から抜け止めされる。
また、密着リング１１４の外側面が、筒状突起１３９の内周面に円周状に接触するため、内蓋１３０と外蓋１１０で囲まれた空間は、混合孔１４４以外を密閉状態にできる。
【００２７】
さらに、外蓋１１０を内蓋１３０に被せると、筒状壁１１５の下端がフランジＰｆの上部を押さえ、支持リブ１３５と筒状壁１１５の下端とでフランジＰｆを挟持するため、ポーションカップＰの位置ずれを抑えることができる。
また、外蓋１１０を内蓋１３０に被せると、外蓋１１０の稼動部材係合ネジ１１７と稼動部材１４０の筒状壁係合ネジ１４７の互いの不完全ネジ部付近が係合する。
【００２８】
また、ポーションカップＰの外周面は、筒状壁１１５の内周面に形成されたリブ１１８に周囲を囲まれるため、筒状壁１１５の内周面とポーションカップＰの外周面との間の保持空間１１９には空隙が常に存在する。
【００２９】
次に、混合キャップ１００による、ポーションカップＰの副剤Ｓと、容器内の主剤との混合手順および注出手順について、図１０乃至図１２に基づいて説明する。
なお、説明のため、図の容器の向きはすべて正立状態のものを使用する。
【００３０】
まず、図１０に示すように、容器口部Ｂに混合キャップ１００を装着し、外蓋１１０を時計回りに回転させる。
外蓋１１０は内蓋１３０および稼動部材１４０に対して相対的に回転するため、外蓋１１０を回転させると、外蓋１１０の稼動部材係合ネジ１１７および稼動部材１４０の筒状壁係合ネジ１４７によって、稼動部材１４０が徐々に外蓋１１０側へ上昇し、開封用カッター１４３がポーションカップＰの開封面Ｐｓに当接する。
【００３１】
さらに外蓋１１０を回転させて稼動部材１４０を上昇させると、開封用カッター１４３は開封面Ｐｓに食い込み、複数の破線状の亀裂を形成し、亀裂から副剤ＳがポーションカップＰ外へ少しずつ漏れ出し、形成された流路を通って容器内へ入り始める。
このとき、稼動部材１４０のスリット１４６内に方向規制リブ１３６の方向規制部１３７が進入しているため、稼動部材１４０は内蓋１３０に対して相対的に回転することなく外蓋１１０側へ上昇し、開封用カッター１４３は開封面Ｐｓに確実に食い込むことができる。
さらに外蓋１１０を回転させると、図１１に示すように、補助スリット１１６が通過孔１４８の直上に位置する状態で、内蓋１３０の外周面ラチェット１３４が外蓋１１０の係合突起１１３間の切欠き部１２２に係合し、外蓋１１０と内蓋１３０の周方向の位置が固定されるとともに、開封面Ｐｓは完全に開封され、副剤Ｓはすべて容器内へ入る。
【００３２】
次に、副剤Ｓを容器内の主剤と混合した内容液Ｍを取り出す。
【００３３】
図１２に示すように、外蓋１１０の密閉カバー１２１を展開することで、外蓋天面１１１の注出孔１２０が開く。
容器を注出孔１２０側に傾けると、内容液Ｍは容器口部Ｂから貫通孔１３２を通り、混合キャップ１００内へ流入する。
【００３４】
混合キャップ１００内は、ポーションカップＰが保持空間１１９内に収容されており、稼動部材１４０の混合孔１４４はポーションカップＰと接続されているため、混合孔１４４から注出孔１２０へ内容液Ｍを送り出すことはできないが、稼動部材１４０に設けられた通過孔１４８が注出孔１２０への流路側に開放されているとともに、リブ１１８によって筒状壁１１５の内周面とポーションカップＰの外周面との間には常に空隙が存在するため、内容液Ｍは通過孔１４８を通り、筒状壁１１５とポーションカップＰとの間の保持空間１１９を通って、注出孔１２０から混合キャップ１００外へ注出することができる。
【００３５】
このとき、通過孔１４８の直上に補助スリット１１６が位置していることで、通過孔１４８付近の流路が大きく開口しているため、内容液Ｍが粘性の高いものでも簡単に注出することができる。
これによって、容器口部Ｂから混合キャップ１００を外すことなく、内容液Ｍを取り出すことが可能となり、内容液Ｍの取り出し操作が片手で簡単に操作できるとともに、内容液Ｍの取り出し操作中における容器内への異物の混入を抑制できる。
また、外蓋１１０の密着リング１１４が筒状突起１３９の内周面に密着しているため、外蓋壁部１１２と筒状壁１１５の間から内容液Ｍが漏れ出ることはない。
【００３６】
以上、本発明の実施形態を詳述したが、本発明は上記実施形態に限定されるものではなく、特許請求の範囲に記載された本発明を逸脱することなく種々の設計変更を行うことが可能である。
【００３７】
上述した実施形態では、外蓋天面に注出孔が設けられているものとして説明したが、注出孔の形成位置はこれに限定されず、例えば、外蓋壁部に設けられていてもよい、
また、上述した実施形態では、ポーションカップを支持する支持部を有した方向規制リブおよび支持リブが設けられているものとして説明したが、ポーションカップの支持方法はこれに限定されず、例えば、開封用カッターに直接ポーションカップを支持させてもよい。
また、上述した実施形態では、稼動部材のスリットに方向規制リブの方向規制部を進入させ、且つ、通過孔に内蓋の支持リブを進入させることで、稼動部材の内蓋との相対的な回転をさせないものとして説明したが、稼動部材と内蓋との関係はこれに限定されず、例えば、方向規制リブを設けずに、通過孔に支持リブを進入させて稼動部材の内蓋との相対的な回転を防止してもよく、方向規制リブや支持リブを設けずに、稼動部材の内蓋との相対的な回転を防止しなくてもよい。
【００３８】
また、上述した実施形態では、回転させた外蓋をラチェットに切欠き部を係合させることで周方向の位置を固定していたが、外蓋の位置固定方法はこれに限定されず、例えば、ラチェットや切欠き部のような固定部がなくてもよい。
また、上述した実施形態では、内容液を注出する際に容器を傾けるものとして説明したが、内容液の注出方法はこれに限定されず、例えば、スクイズボトルを容器として、容器を押して変形させることで内容液を注出孔から注出してもよい。
【００３９】
また、上述した実施形態では、下面の概形がＤ型形状のポーションカップを使用するものとして説明したが、使用するポーションカップの形状はこれに限定されず、例えば、下面の概形がＯ型形状や、多角形形状のポーションカップを使用し、ポーションカップを中心からオフセットして保持するようにして、容器内から液体を取り出す際に容器口部から注出孔までの液体が通過する流路を大きく確保するようにしてもよい。
【符号の説明】
【００４０】
１００  ・・・  混合キャップ
１１０  ・・・  外蓋
１１１  ・・・  外蓋天面
１１２  ・・・  外蓋壁部
１１３  ・・・  係合突起
１１４  ・・・  密着リング
１１５  ・・・  筒状壁
１１６  ・・・  補助スリット
１１７  ・・・  稼動部材係合ネジ
１１８  ・・・  リブ
１１９  ・・・  保持空間
１２０  ・・・  注出孔
１２１  ・・・  密閉カバー
１２２  ・・・  切欠き部
１３０  ・・・  内蓋
１３１  ・・・  頂板部
１３２  ・・・  貫通孔
１３３  ・・・  スカート壁
１３４  ・・・  外周面ラチェット
１３５  ・・・  支持リブ
１３６  ・・・  方向規制リブ
１３７  ・・・  方向規制部
１３８  ・・・  支持部
１３９  ・・・  筒状突起
１４０  ・・・  稼動部材
１４１  ・・・  底面
１４２  ・・・  押上げリブ
１４３  ・・・  開封用カッター
１４４  ・・・  混合孔
１４５  ・・・  環状壁
１４６  ・・・  スリット
１４７  ・・・  筒状壁係合ネジ
１４８  ・・・  通過孔
Ｐ  ・・・  ポーションカップ
Ｐｆ  ・・・  フランジ
Ｐｓ  ・・・  開封面
Ｂ  ・・・  容器口部
Ｓ  ・・・  副剤
Ｍ  ・・・  内容液
【図１】
2019064721.tif 000003
【図２】
2019064721.tif 000004
【図３】
2019064721.tif 000005
【図４】
2019064721.tif 000006
【図５】
2019064721.tif 000007
【図６】
2019064721.tif 000008
【図７】
2019064721.tif 000009
【図８】
2019064721.tif 000010
【図９】
2019064721.tif 000011
【図１０】
2019064721.tif 000012
【図１１】
2019064721.tif 000013
【図１２】
2019064721.tif 000014